(57)【要約】【課題】自動レーザー出力制御機能を有するレーザーダイオードドライバ、ピックアップ装置、そして光記録再生装置を提供する。【解決手段】それに印加される選択信号に応答してレーザー信号のパワーレベルに相応する駆動電位（ピークパワー駆動電位、バイアスパワー駆動電位、読出しパワー駆動電位等）を選択的に出力するマルチプレクサと、マルチプレクサに印加される選択信号を発するパルス発生器と、レーザーダイオードから出力されるレーザー信号をモニターするモニターダイオードから提供されるモニター信号とマルチプレクサを通して選択された駆動電位との差を算出する差動増幅器と、差動増幅器の出力とマルチプレクサの出力とを加算してレーザーダイオードを駆動する信号として出力する加算器と、を含むことを特徴とするレーザーダイオードドライバ。【選択図】図４
2006107733.tif 000002
【特許請求の範囲】
【請求項１】
データ貯蔵媒体を横断して動かすことができるピックアップ装置において、
前記データ貯蔵媒体にデータを記録／再生するためのレーザー信号を発するレーザーダイオードと、
前記レーザーダイオードを駆動して温度変化によって前記レーザーダイオードの出力を制御するレーザーダイオード駆動装置と、を備えることを特徴とするピックアップ装置。
【請求項２】
光記録再生装置において、
前記データ貯蔵媒体にデータを記録／再生するためのレーザー信号を発するレーザーダイオードを装着し、前記データ貯蔵媒体にわたって動けるピックアップと、
前記ピックアップに装置されて温度変化によって前記レーザーダイオードの出力を自動的に制御するレーザーダイオード駆動装置が形成された第１印刷回路基板と、
前記レーザーダイオード駆動装置を制御する制御部が形成された第２印刷回路基板と、
前記第１印刷回路基板と前記第２印刷回路基板と間の信号をインタフェースするフレキシブル印刷回路基板と、を含むことを特徴とする光記録再生装置。
【発明の詳細な説明】
【技術分野】
【０００１】
本発明は光記録／再生装置でレーザーダイオードを駆動するレーザーダイオードドライバに係り、特に自動レーザー出力制御（Ａｕｔｏ ｌａｓｅｒ  Ｐｏｗｅｒ  Ｃｏｎｔｒｏｌ；ＡＰＣ）機能を備えるレーザーダイオードドライバ、ピックアップ装置、そして光記録再生装置に関する。
【背景技術】
【０００２】
現代社会を情報化時代或いはマルチメディア時代という。このような時代では高容量の記録媒体を要求するようになって、ここに有用なものがＭＯＤＤ（Ｍａｇｎｅｔ−ｏｐｔｉｃａｌ  Ｄｉｓｋ  Ｄｒｉｖｅ）、ＤＶＤ−ＲＷ、またはＤＶＤ−ＲＡＭなどの光記録装置である。
【０００３】
このような装置は、光記録媒体に／から情報を記録／再生するためのレーザー信号を発するためにレーザーダイオード（Ｌａｓｅｒ  Ｄｉｏｄｅ；ＬＤ）を用いており、このようなレーザーダイオードは動作温度によって非常に敏感に変動する入出力特性を有する。
【０００４】
すなわち、レーザーダイオードの動作温度によって同一なパワーレベルを有するレーザー信号を出力するために必要な入力（通常電流値で表現される）が異なるようになる。したがって、レーザーダイオードを最適の状態に制御するＡＰＣ技術が必要であり、これが光記録機器の性能を左右する。
【０００５】
一方、これら記録機器において高容量高密度化と共に高倍速記録／再生が急速に進行しているためにＡＰＣ装置をノイズ及び干渉から保護しなければならない問題点が高まっている。
【０００６】
図１は、現在大部分の光記録機器に用いられているレーザーダイオードドライバの構成を示すものである。
図１に示されたレーザーダイオードドライバ１００は、スイッチ１０ａ〜１０ｃ、スイッチ１０ａ〜１０ｃの出力をマルチプレキシングするマルチプレクサ１２、マルチプレクサ１２の出力を所定の増幅度で増幅する増幅器１４、加算器１６、そして高周波変調器（Ｈｉｇh  Ｆｒｅｑｕｅｎｃｙ  Ｍｏｄｕｌａｔｉｏｎ；以下、ＨＦＭと称する）１８を備える。
【０００７】
スイッチ１０ａ〜１０ｃには、レーザーダイオードのパワーレベル（ピークパワーレベル、バイアス１（或いは消去）パワーレベル、読出しパワーレベル）に該当する電流（或いは電圧）（以下、駆動電位と称する）が各々印加される。これら駆動電位は各々の制御信号（ピークパワー制御信号ＰＥＡＫ  ＣＯＮＴＲＯＬ、バイアスパワー制御信号ＢＩＡＳ  ＣＯＮＴＲＯＬ、読出しパワー制御信号ＲＥＡＤ  ＣＯＮＴＲＯＬ）によってオン／オフされる。例えばピークパワーレベルを生じるために必要なピーク駆動電位はピークパワー制御信号によってオン／オフされる。
【０００８】
スイッチ１０ａ〜１０ｃの出力は、マルチプレクサ１２によって多重化される。マルチプレクサ１２の出力はレーザーダイオード駆動信号ＬＤ  ＤＲＩＶＥＲ＿ＯＵＴになり、このレーザーダイオード駆動信号ＬＤ  ＤＲＩＶＥＲ＿ＯＵＴはいわゆる記録パルス、すなわちファーストパルス、マルチパルス、ラストパルスで構成されるパルス列と同一な波形を有するようになり、このレーザーダイオード駆動信号ＬＤ  ＤＲＩＶＥＲ＿ＯＵＴによってレーザーダイオードが駆動されて記録パルスを発する。
【０００９】
しかし、マルチプレクサ１２の出力だけではレーザーダイオードを十分に駆動できないのでマルチプレクサ１２の出力を増幅器１４を通して増幅して出力する。
【００１０】
一方、ＨＦＭ  １８は、光検出装置（例えば、４分割光検出器等、図示せず）における光干渉ノイズを除去するための高周波変調信号を発する。この高周波変調信号は加算器１６を通して増幅器１４の出力に加算される。レーザーダイオードは加算器１６の出力によって駆動される。ここで、高周波変調信号は光干渉ノイズを除去するための最も効果的な周波数と振幅とで設定されて主に読出しモードとして用いられる。
【００１１】
図１に示された装置においてスイッチの個数は用いられるチャネルの数２ｃh〜５ｃh、すなわち記録パルスで用いられるパワーレベルの数によって２個〜５個が備わることができる。
【００１２】
図２Ａは、ＣＤ−ＲＷ記録パルスＲＥＣＯＲＤＩＮＧ  ＰＵＬＳＥ（３チャネル使用の例）を示す波形図であって、図２ＢはＤＶＤ−ＲＡＭ記録パルス（５チャネル使用の例）を示す波形図である。図２Ａ及び図２Ｂで（ａ）は入力されたＮＲＺＩデータであり、（ｂ）は所定の記録マークを形成するための記録パルスであり、残りは制御信号を示している。制御信号によって駆動電位を制御することによって（ｂ）に図示された記録パルスと同一な波形を有するレーザーダイオード駆動信号ＬＤ  ＤＲＩＶＥＲ＿ＯＵＴが得られる。このレーザーダイオード駆動信号ＬＤ  ＤＲＩＶＥＲ＿ＯＵＴはレーザーダイオードに印加されて、レーザーダイオードから（ｂ）の記録パルスが得られる。
【００１３】
図３は、レーザーダイオードの特性を示すグラフであって、東芝（登録商標）社のレーザーダイオードであるＴＯＬＤ９４５２ＭＢの入出力特性を示すものである。
レーザーダイオードは、図３に示されたグラフによって分かるように温度によって変化する入出力特性を持っている。レーザーダイオードが駆動されてからある程度時間が経過すればレーザーダイオードの動作温度が高まる。レーザーダイオードの動作温度が高まれば、図３に示されたグラフで分かるように、入力電流に対する光出力が低下する。例えば入力電流が１１０ｍＡである時、２５゜Ｃの動作温度で４０ｍＷだった光出力が７０゜Ｃの動作温度では２０ｍＷ程度に低下する。したがって、動作温度によってレーザーダイオードを適切に制御できなければ記録機能の低下ないし記録不能をもたらすことがある。
【００１４】
このような問題を改善する機能がＡＰＣである。ＡＰＣ装置はレーザーダイオードの出力変動をレーザーダイオードにフィードバックさせてレーザーダイオードの出力を一定に維持させる。
【発明の開示】
【発明が解決しようとする課題】
【００１５】
しかし、従来にはこのようなＡＰＣ機能がレーザーダイオードドライバ内で具現できず、別途の回路或いはＩＣで具現されていた。一般的に、ＡＰＣ装置はＭａｉｎ  ＰＣＢに位置してレーザーダイオードドライバはピックアップに位置するようになるので、主にＦＰＣＢ（Ｆｌｅｘｉｂｌｅ  ＰＣＢ）を通して連結される。
【００１６】
ＡＰＣ装置は、ＦＰＣＢを通してレーザーダイオードに付属されたモニターＰＤ（Ｐｈｏｔｏ−Ｄｉｏｄｅ）からモニター信号ＭＯＮ−ＰＤを提供される。また、レーザーダイオードドライバもＦＰＣＢを通して制御信号の供給を受けなければならない。
【００１７】
モニター信号ＭＯＮ−ＰＤは、数μＡ程度と小さいためにノイズに非常に弱い。また、制御信号の周波数は非常に高いために周辺装置に電磁波障害（ＥＭＩ）を発生させる。実際に、高密度記録のためにレーザー信号の波長が７８０μｍ（コンパクトディスクの場合）、６３５或いは６５０μｍ（デジタル多機能ディスクの場合）、そして４１０μｍと次第に短くなっており、記録／再生の速度も最近５２倍速まで常用化されている。レーザー波長の短縮及び記録／再生速度の増加は制御信号の周波数を高める結果をもたらす。したがって、ＥＭＩによって記録性能低下及びＦＰＢＣによるインタフェース自体が不可能になる場合がある。
【００１８】
一方、記録／再生装置が記録媒体間の互換性を維持するために複数のレーザーダイオードを備える場合、各々のレーザーダイオードに該当する回路及び部品（ＡＰＣ装置、レーザーダイオードドライバ等）を別途に具備しなければならない。これにより光記録／再生装置の小型化、軽量化、そして低価格実現が障害を受ける。
【００１９】
本発明は前記の問題点を解決するために考案されたものであって、本発明自体がＡＰＣ機能を有することによってノイズ及び干渉による影響を最少化し、また複数のレーザーダイオードを一つの装置で駆動できる改善された構造のレーザーダイオードドライバを提供することをその目的とする。
本発明の他の目的は、改善されたピックアップ装置を提供することにある。
本発明のさらに他の目的は、改善された光記録再生装置を提供することにある。
【課題を解決するための手段】
【００２０】
前記の目的を達成する本発明によるレーザーダイオードドライバは、印加される選択信号に応答してレーザー信号のパワーレベルに相応する駆動電位（ピークパワー駆動電位、バイアスパワー駆動電位、読出しパワー駆動電位等）を選択的に出力するマルチプレクサと、前記マルチプレクサに印加される選択信号を発するパルス発生器と、前記レーザーダイオードから出力されるレーザー信号をモニターするモニターダイオードから提供されるモニター信号と前記マルチプレクサを通して選択された駆動電位との差を算出する差動増幅器と、前記差動増幅器の出力と前記マルチプレクサの出力とを加算して前記レーザーダイオードを駆動する信号として出力する加算器と、を含むことを特徴とする。
【００２１】
前記の他の目的を達成する本発明によるピックアップ装置は、データ貯蔵媒体にわたって動けるピックアップ装置において、前記データ貯蔵媒体にデータを記録／再生するためのレーザー信号を発するレーザーダイオードと、前記レーザーダイオードを駆動して温度変化によって前記レーザーダイオードの出力を制御するレーザーダイオード駆動装置と、を含むことを特徴とする。
【００２２】
前記さらに他の目的を達成するために、本発明による光記録再生装置は、光記録再生装置において、前記データ貯蔵媒体にデータを記録／再生するためのレーザー信号を発するレーザーダイオードを装着し、前記データ貯蔵媒体を横断して動かすことができるピックアップと、前記ピックアップに装置されて温度変化によって前記レーザーダイオードの出力を自動的に制御するレーザーダイオード駆動装置が形成された第１印刷回路基板（ＰＣＢ：Ｐｒｉｎｔｅｄ Ｃｉｒｃｕｉｔ Ｂｏａｒｄ）と、前記レーザーダイオード駆動装置を制御する制御部が形成された第２ＰＣＢと、前記第１印刷回路基板と前記第２印刷回路基板と間の信号をインタフェースするフレキシブル印刷回路基板と、を含むことを特徴とする。
【発明を実施するための最良の形態】
【００２３】
以下、添付された図面を参照しつつ本発明の構成及び動作を詳細に説明する。
図４は、本発明によるレーザーダイオードドライバの構成を示すブロック図である。
図４に示された装置は、Ｉ／Ｆ（ＩｎｔｅｒＦａｃｅ）＆制御部４０２、パルス発生器４０４、レジスタ４０６、マルチプレクサ４０８、ＤＡＣ（Ｄｉｇｉｔａｌ  ｔｏ  Ａｎａｌｏｇ  Ｃｏｎｖｅｒｔｅｒ）４１０、増幅器４１２、加算器４１４、可変利得増幅器４１６、第１サンプル＆ホルダー４１８、第２サンプル＆ホルダー４２０、差動増幅器４２２、高周波変調器４２４、レーザードライバ選択スイッチ４２６、ＡＤＣ（Ａｎａｌｏｇ  ｔｏ  Ｄｉｇｉｔａｌ  Ｃｏｎｖｅｒｔｅｒ）４２８を備える。
【００２４】
Ｉ／Ｆ＆制御部４０２は、図４に示された装置の初期設定のためのメーンボードのマイクロプロセッサー（図示せず）とのインタフェース及び図４に示された各構成要素の制御を行う。メーンボードのマイクロプロセッサーは初期化動作でディスクのリードイン／リードアウト領域に記録されたデータを読み込んでＩ／Ｆ＆制御部４０２に提供する。このデータはディスク製造企業によって提供され、該ディスクに適したパワーレベルに関する情報を有する。
【００２５】
パルス発生器４０４は、動作モードによるチャネル制御信号を発し、これら制御信号に基づいて第１サンプル＆ホルダー４１８を制御するための第１サンプル＆ホールド制御信号、第２サンプル＆ホルダー４２０を制御するための第２サンプル＆ホールド制御信号、マルチプレクサ４０８を制御するための選択信号を発する。
【００２６】
パルス発生器４０４にはＷＧ（Ｗｒｉｔｅ  Ｇａｔｅ）信号、ＮＲＺＩ（Ｎｏｎ  Ｒｅｔｕｒｎ  ｔｏ  Ｚｅｒｏ  Ｉｎｖｅｒｔｅｄ）信号、クロック信号などが入力される。ＷＧ信号は読出し／書込み動作を制御する信号であり、ＮＲＺＩ信号は光ディスクに記録するデータをＮＲＺＩ変調によって得られる信号である。
【００２７】
パルス発生器４０４の動作は、動作モード（読出し／書込み等）やＡＰＣモード（ｐｅａｋ、ａｖｅｒａｇｅ等）によって変わり、その動作はＩ／Ｆ＆制御部４０２の制御に従う。
【００２８】
レジスタ４０６は、レーザー信号のパワーレベルに相応する駆動電位（ピークパワー駆動電位、バイアスパワー駆動電位、読出しパワー駆動電位等）を貯蔵し、駆動電位の値はＩ／Ｆ＆制御部４０２から提供される。Ｉ／Ｆ＆制御部４０２は初期化動作でメーンボードのマイクロプロセッサーによって提供されるテーブルを参照してレジスタ４０６に貯蔵される駆動電位を設定する。
【００２９】
レジスタ４０６に貯蔵される駆動電位に該当するレーザーダイオードの出力レベルと実際の出力レベルの差、すなわちレーザー出力の変動値は差動増幅器４２２によって求められる。一方、差動増幅器４２２の出力ではレーザー出力の変動を補償するための補償値が出力されて、この補償値は加算器４１４を通してレーザーダイオードに印加される。その結果、レーザーダイオードの出力を制御するＡＰＣ動作が行われる。ここで、レーザー出力の変動値と補償値との関係は差動増幅器の利得によって決定される。
【００３０】
マルチプレクサ４０８は、レジスタ４０６に貯蔵される各駆動電位中の一つを選択するためのものであり、マルチプレクサ４０８の選択動作はパルス発生器４０４から提供される選択信号によって制御される。
【００３１】
レジスタ４０６に貯蔵された各々の駆動電位は、それに相応する制御信号によって選択され、選択動作はマルチプレクサ４０８を通して行われる。マルチプレクサ４０８の最も簡単な実施例は図１に示されたスイッチ１０ａ−１０ｃによる動作と類似する。
【００３２】
一方、パルス発生器４０４は、チャネル制御信号ＰＥＡＫ  ＣＯＮＴＲＯＬ、ＢＩＡＳ  ＣＯＮＴＲＯＬ、ＲＥＡＤ  ＣＯＮＴＲＯＬによって動作モードを判別する。
【００３３】
光記録／再生機器のモードは、メーンボードから別途に提供されるモード信号を印加される場合もあるが、この場合レーザーダイオードドライバでこのモード信号を流入するための入力ピンをさらに具備しなければならない負担がある。これを回避するためにチャネル制御信号から使用モードを判別する。
例えばピーク制御信号ＰＥＡＫ  ＣＯＮＴＲＯＬは、記録モードでのみ発するのでこの信号の有無によって記録／再生モードの有無が分かる。
【００３４】
マルチプレクサ４０８で選択された駆動電位は、ＤＡＣ  ４１０、増幅器４１２を経て加算器４１４に提供される。増幅器４１２は図１に示された増幅器１４に相応する動作を行う。
【００３５】
一方、モニターダイオードから出力されるモニター信号ＭＯＮ−ＰＤはＩ／Ｖ増幅器（電流−電圧変換増幅器、図示せず）によって所定の増幅度に増幅された後で可変利得増幅器４１６に印加される。以下、可変利得増幅器４１６に入力される信号をモニター信号ＭＯＮ−ＰＤと称する。図４に示されていないが、可変利得増幅器４１６は動作モード及び再生されるトラックの種類（ｌａｎｄ／ｇｒｏｏｖｅ）によって利得が可変され、可変利得増幅器４１６の利得はＩ／Ｆ＆制御部４０２によって制御される。周知のようにＤＶＤは二種類のトラックを有しており、各々ランドトラック及びグルーブトラックという。これらランドトラックとグルーブトラックとは光反射率が異なるために可変利得増幅器４１６の利得をトラックの種類によって異なるようにする必要がある。
【００３６】
一方、可変利得増幅器４１６は、トラックの種類（ｌａｎｄ／ｇｒｏｏｖｅ）によって利得を可変せずに同一な利得で処理するように構成及び設定が可能である。
【００３７】
第１サンプル＆ホルダー４１８は、可変利得増幅器４１６の出力をサンプル＆ホールドする。第１サンプル＆ホルダー４１８のサンプル＆ホールド動作はパルス発生器４０４から提供される第１サンプル＆ホールド制御信号によって制御される。
【００３８】
モニター信号ＭＯＮ−ＰＤは、レーザーダイオードから出力されるレーザー信号を検出したものであるので、レーザー信号と同一な波形を有し、レーザー信号の波形はマルチプレクサ４０８の出力、すなわち記録パルスと同一な波形を有する。したがって、モニター信号ＭＯＮ−ＰＤがマルチプレクサ４０８の出力に比べて時間的に遅延されたことを除いて両者はほとんど同一な波形を有する。ここで、ほとんど同等であるということはＨＦＭ  ４２４の影響のためである。また、システム構成上、モニター信号ＭＯＮ−ＰＤはレーザーダイオードから出力されるレーザー信号を検出したものであるので、レーザー信号と同一な波形を有して位相が反対になる場合もある。
【００３９】
一方、マルチプレクサ４０８から出力される記録パルスは、制御信号を組合せたものに該当するので、同様に制御信号を組合せ及び遅延することによって第１サンプル＆ホルダー４１８を制御するための第１サンプル＆ホールド制御信号を発しうる。
【００４０】
すなわち制御信号を組合せることによって各々のパワーレベルをサンプリングするためのサンプリングタイムを決定する第１サンプル＆ホールド制御信号を発する。
【００４１】
一方、第２サンプル＆ホルダー４２０は、ＤＡＣ  ４１０の出力をサンプル＆ホールドする。第２サンプル＆ホルダー４２０のサンプル＆ホールド動作はパルス発生器４０４から提供される第２サンプル＆ホールド制御信号によって制御される。第２サンプル＆ホルダー４２０によってサンプリングされるものはマルチプレクサ４０８の出力、すなわち駆動電位である。
【００４２】
第１サンプル＆ホルダー４１８及び第２サンプル＆ホルダー４２０の出力である第１サンプル＆ホールド信号及び第２サンプル＆ホールド信号は差動増幅器４２２に印加される。差動増幅器４２２は第１サンプル＆ホールド信号及び第２サンプル＆ホールド信号の差、すなわちレーザー出力の変動分を検出して、これを所定の利得で増幅する。差動増幅器４２２の利得はレーザー信号の変動分とこれに相応する補償値の関係によって決定される。
【００４３】
図５の（ｄ）、（ｅ）及び（ｆ）で各々のサンプル＆ホールド信号は、モニター信号ＭＯＮ−ＰＤの遅延時間と減衰された特性を勘案してサンプル＆ホールド信号の遅延時間と信号幅とを可変する場合もある。
【００４４】
差動増幅器４２２の出力、すなわちレーザーダイオードの出力変動分を補償するための補償値は加算器４１４に提供される。加算器４１４は増幅器４１２の出力（レーザーダイオードに印加される駆動電位）と差動増幅器４２２の出力、すなわち補償値を加算して出力する。加算器４１４の出力はレーザーダイオードに印加されて所望するパワーレベルを有するレーザー信号を出力する。
【００４５】
レーザーダイオード選択スイッチ４２６は、加算器４１４の出力を第１レーザーダイオード（例えば、ＣＤに適した７８０ｎｍの波長を有するレーザー信号を発するレーザーダイオード）或いは第２レーザーダイオード（例えば、ＤＶＤに適した６５０ｎｍの波長を有するレーザー信号を発するレーザーダイオード）に選択的に提供する。レーザーダイオード選択スイッチ４２６の選択動作はＩ／Ｆ＆制御部４０２から提供されるレーザーダイオード選択信号ＳＥＬ−ＬＤによって制御される。
【００４６】
一方、ＨＦＭ  ４２４は、図１に示されたＨＦＭ  １８に相当するものであって光検出装置（図示せず）における光干渉ノイズを除去するための高周波変調信号を発する。この高周波変調信号は加算器４１４に提供される。
【００４７】
図４に示された装置において第１サンプル＆ホルダー及び第２サンプル＆ホルダーの動作をさらに詳細に説明する。
レジスタ４０６には用いようとするレーザーダイオードのパワーレベル（ピークパワーレベル、バイアス１（或いは消去）パワーレベル、読出しパワーレベル）に該当する電流値ＰＥＡＫ  ＣＵＲＲＥＮＴ、ＢＩＡＳ１  ＣＵＲＲＥＮＴ、ＲＥＡＤ  ＣＵＲＲＥＮＴが貯蔵される。
【００４８】
メーンボードのマイクロプロセッサー（図示せず）は、初期化動作でディスクのリードイン／リードアウト領域に記録されたテーブル（記録媒体別に要求されるパワーレベルを貯蔵したテーブル）を読み込んでＩ／Ｆ＆制御部４０２に提供する。Ｉ／Ｆ＆制御部４０２はテーブルを参照して各パワーレベルに適した電流値をレジスタ４０６に設定する。
【００４９】
図３に示されたグラフによって分かるように、レーザーダイオードは温度依存的な入出力特性を有する。すなわち、自体温度上昇または外部温度上昇によってレーザーダイオードの動作温度が高まれば、レーザー信号の出力レベルは減少する。このような温度変化による光出力の変動はモニターダイオード（図示せず）、可変利得増幅器４１６、第１及び第２サンプル＆ホルダー４１８、４２０、差動増幅器４２２、加算器４１４、レーザーダイオードで構成される閉ループによって補償される。
【００５０】
すなわち、レーザーダイオードの出力レベルがモニターダイオード（図示せず）を通して検出される。モニターダイオードから出力されるモニター信号ＭＯＮ−ＰＤは可変利得増幅器４１６によって可変的に増幅されて第１サンプル＆ホルダー４１８によってサンプリング＆ホールドされる。ここで、可変利得増幅器４１６の増幅利得は使用モードによって決定される。
【００５１】
第１サンプリング＆ホルダー４１８は、動作モードによってピークパワーレベル、読出しパワーレベル、或いは消去パワーレベルをサンプリング＆ホールドする。
【００５２】
一方、第２サンプル＆ホルダー４２０は、動作モードによってＢＩＡＳ  ＣＵＲＲＥＮＴ或いはＲＥＡＤ  ＣＵＲＲＥＮＴをサンプリング＆ホールドする。差動増幅器４２２は第１及び第２サンプル＆ホルダー４１８、４２０の出力の差を得る。
【００５３】
パルス発生器４０４は、動作モードによるチャネル制御信号を発し、これら制御信号に基づいて第１サンプル＆ホルダー４１８を制御するための第１サンプル＆ホールド制御信号、第２サンプル＆ホルダー４２０を制御するための第２サンプル＆ホールド制御信号、マルチプレクサ４０８を制御するための選択信号を提供する。
【００５４】
パルス発生器４０４における制御信号を発する動作は、本出願人が出願した韓国特許出願９９−２０４８５号（１９９９．６．４出願、発明者：ｓｅｏ−ｊｉｎｋｙｏ、発明の名称：多様な形態の光記録媒体に適した記録パルス発生方法及びこれに適した記録装置）公報に詳細に開示されている。これによると、（ａ）光記録媒体の種類によった記録パルスを構成するファーストパルス、マルチパルス列、ラストパルス、そして冷却パルスの開始位置、終了位置を記録マークの立ち上がりエッジ及び立ち下がりエッジを基準に係数化する過程と、（ｂ）前記（ａ）過程で得られた係数を貯蔵する過程と、（ｃ）入力されるＮＲＺＩ信号に同期されて各光記録媒体別の係数を参照してピークパワー制御信号、バイアスパワー制御信号、そして読出しパワー制御信号を発する過程とを通して制御信号を発する。同韓国特許出願９９−２０４８５号公報に開示された内容は参照のために本発明に併合される。
【００５５】
一方、制御信号を利用してサンプル＆ホールド制御信号を発する方法は本出願人が出願した韓国特許出願０１−６９７９号（２００１．２．１４、発明者：ｓｅｏ−ｊｉｎｋｙｏ、発明の名称：レーザーダイオードドライバ、これに適した光記録／再生機器の初期化方法、そしてレーザーダイオードドライバの駆動方法）に開示されている。これによると、各々の制御信号の組合せで記録パルスを生成することができ、また、各々の制御信号を組合せることによってピークパワーレベル、読出しパワーレベル、消去パワーレベルなどをサンプリングすることができるサンプル＆ホールド制御信号を発することができ、また制御信号によってモードを判別することができる。同韓国特許出願０１−６９７９号公報に開示された内容は参照のために本発明に併合される。
【００５６】
表１はパルス発生器４０４においてモード判別動作を示すものである。
【表１】
2006107733.tif 000003
【００５７】
表１に示されたように、パルス発生器４０４は、消去制御信号ＥＲＡＳＥ  ＣＯＮＴＲＯＬと記録制御信号ＰＥＡＫ  ＣＯＮＴＲＯＬとのうちいずれか一つがアクティブ（表１で“１”の場合）であるならば記録及び消去モードと判別し、そうでなければ再生モードと判別する。
【００５８】
また、パルス発生器４０４は、読出し制御信号ＲＥＡＤ  ＣＯＮＴＲＯＬがアクティブでないならばレーザーダイオードを駆動してはならないディスエーブルモード（ｄｉｓａｂｌｅ ｍｏｄｅ）と判別する。
【００５９】
表１のようにパルス発生器４０４で動作モードが判別されて、それによって可変利得増幅器４１６、第１及び第２サンプル＆ホルダー４１８、４２０、マルチプレクサ４０８の動作が制御される。
【００６０】
読出しモードの場合、可変利得増幅器４１６で読出し利得が設定されて、第１サンプル＆ホルダー４１８が可変利得増幅器４１６の出力から読出しパワーレベルをサンプル＆ホールドして、第２サンプル＆ホルダー４２０がｒｅａｄ  ｃｕｒｒｅｎｔをサンプル＆ホールドする。
【００６１】
書込み及び消去モードの場合、可変利得増幅器４１６で書込み利得が設定されて、第１サンプル＆ホルダー４１８が可変利得増幅器４１６の出力からピークパワーレベルをサンプル＆ホールドして、第２サンプル＆ホルダー４２０はＢＩＡＳ  ＣＵＲＲＥＮＴ（或いはＥＲＡＳＥ  ＣＵＲＲＥＮＴ）をサンプル＆ホールドする。
【００６２】
表２は、第１サンプル＆ホルダー４１８のサンプリング動作を示すものである。
【表２】
2006107733.tif 000004
【００６３】
図５は、本発明において第１サンプル＆ホルダー４１８を制御する第１サンプル＆ホールド制御信号の例を示す波形図である。
記録パルスは、ＮＲＺＩ信号を基本にして作られ、適応的記録方式では現在のマーク（トラックでレーザー信号によってドメインが形成された所）を基準に前後のスペース（マークとマークとの間）の相関関係によって記録パルスを構成する各パルスの開始／終わり位置、パルス幅、パワーレベルなどが変更される。
【００６４】
パルス発生部４０４は、記録パルスを発するにおいて、まず各々のパワーレベルのＯＮ／ＯＦＦを制御するための制御信号、すなわち読出しパワー制御信号ＲＥＡＤ  ＣＯＮＴＲＯＬ、ピークパワー制御信号ＰＥＡＫ  ＣＯＮＴＲＯＬ、消去（或いはバイアス１）パワー制御信号ＥＲＡＳＥ  ＣＯＮＴＲＯＬ、冷却（或いはバイアス２）パワー制御信号ＣＯＯＬＩＮＧ  ＣＯＮＴＲＯＬ、ボトム（或いはバイアス３）パワー制御信号ＢＯＴＴＯＭ  ＣＯＮＴＲＯＬを発し、これら制御信号を遅延及び論理組合せすることによって第１サンプル＆ホールド制御信号、第２サンプル＆ホールド制御信号、そして選択信号を発する。ここで、発せられるパワーレベル制御信号の種類はメディアの種類によって決定される。
【００６５】
この選択信号は、レジスタ４０６から記録パルスを発するために必要な駆動電位が順次に引き出されるようにマルチプレクサ４０８を制御する。
【００６６】
記録パルスにおいて読出しパワーレベル、ピークパワーレベル、バイアス１パワーレベル、バイアス２パワーレベル、バイアス３パワーレベルが時間軸上で記録媒体及びマークの長さによって定まる順序によって順次にあらわれ、その区間は各々読出しパワー制御信号、ピークパワー制御信号、バイアス１パワー制御信号、バイアス２パワー制御信号、バイアス３パワー制御信号によって示される。
【００６７】
したがって、制御信号を組合せることによって各々のパワーが印加されたり制御される期間を判別することができる。パルス発生部４０４はこれら制御信号を組合せることによって、レーザーダイオードの出力で各々のパワーレベルがサンプリングされた時点を示す第１サンプリング制御信号及び第１サンプル＆ホルダー４１８によってサンプリングされた信号と比較される基準パワーレベルがサンプリングされる時点を示す第２サンプル＆ホールド制御信号を発する。
【００６８】
Ｉ／Ｆ＆制御部４０２は、動作モード及びＡＰＣモードによって図４に示された各ブロックを制御する。図４に示された装置によって具現されるＡＰＣモードとしては平均ＡＰＣモード、ダイレクトＡＰＣモードなどがある。
【００６９】
平均ＡＰＣモードは、以前のレーザーダイオード出力値と現在のレーザーダイオード出力値との平均によってＡＰＣ制御を行うモードであって、ダイレクトモードは現在のレーザーダイオード出力値によって制御を行うモードである。
【００７０】
図４に示された装置は、一つの集積回路で構成されうる。このように図４に示された装置を一つの集積回路で具現することによって、図４に示された装置を光ピックアップに装着できる。一方、集積回路で具現することによって構成要素間のインタフェース時に介入されうる外部の撹乱を防止することによって安定したレーザー出力制御動作を具現できる。特に、高容量、高速の光記録／再生装置においては構成要素間に取り交わされる信号が高周波になり、外部撹乱に対して敏感になって誤動作を起こしうる余地があるので集積回路化することによってこのような誤動作を予防できる。
【００７１】
図４に示された装置のモード別動作を詳細に説明する。
１）初期化動作において
メーンボードのマイクロプロセッサーは、挿入されたディスクの種類を検出する。
【００７２】
検出されたメディアに合うように初期化を行う。すなわち、ＳＥＬ−ＬＤを通して用いようとするレーザーダイオードを選択して、挿入されたメディアのリードイン／リードアウト領域に記録されたテーブルを読んでＩ／Ｆ＆制御部４０２に提供する。Ｉ／Ｆ＆制御部４０２は、テーブルを参照してレジスタ４０６に貯蔵される駆動電位を設定する。
【００７３】
ディスクの種類によってパワーレベルが異なり、ディスク製造企業はディスクに適したパワーレベルを有するテーブルをディスクのリードイン／リードアウト領域に記録しておく。
【００７４】
光ピックアップを最内周或いは最外周に移動させたりフォーカスを最大にアップ／ダウンさせる。これはレーザーダイオードテストのための準備動作である。
【００７５】
レーザーダイオードテストモードを実施する。レーザーダイオードテストモードは初期化時に各々の読出し、消去及びピークパワーを一定時間間隔で出力してこれをモニターリングすることによって各々の駆動電位を補正して、レーザーダイオードの異常有無をテストするモードである。このようなレーザーダイオードテストモードは初期化時にレーザーダイオードを検査するために用いられるが、動作中に選択的に行われる場合もある。
【００７６】
レーザーダイオードのテスト動作はメディアに記録された資料に影響を与えうる。したがって、レーザーダイオードテストモード時に光ピックアップをメディアの最内周または最外周に移動させたりフォーカスサーボを通して光ピックアップの対物レンズを最大にアップさせたりダウンさせて記録された資料を保護する。光ピックアップを最外周／最内周に移動させることよりは対物レンズを最大にアップ／ダウンさせれば、テストのための所要時間を最少化できる。
【００７７】
２）読出しモードにおいて
Ｉ／Ｆ＆制御部４０２の初期化動作によって読出し駆動電位がレジスタ４０６に貯蔵される。レジスタ４０６に貯蔵された読出し駆動電位によってレーザーダイオードの読出しパワーレベルが決定される。
【００７８】
第１サンプル＆ホルダー４１８は、モニター信号ＭＯＮ−ＰＤから読出しパワーレベルをサンプリングする。読出しパワーを有する区間は読出し制御信号がアクティブである区間に該当する。
【００７９】
第１サンプル＆ホルダー４１８によってサンプル＆ホールドされた読出しパワーレベルは、差動増幅器４２２の反転入力端子に提供される。
【００８０】
一方、第２サンプル＆ホルダー４２０は、レーザーダイオードに印加される読出し駆動電位をサンプリングする。第２サンプル＆ホルダー４２０によってサンプル＆ホールドされた読出し駆動電位を差動増幅器４２２の非反転入力端子に提供する。
【００８１】
差動増幅器４２２は、モニター信号ＭＯＮ−ＰＤからサンプリングされた読出しパワーレベルとレーザーダイオードに印加される読出し駆動電位と間の差分値を検出する。この差分値はレーザーダイオードの動作温度が変動することによって引き起こされたものである。
【００８２】
差動増幅器４２２の利得によって差分値は補償値に変換されて、この補償値は加算器４１４に提供される。それによって加算器４１４の出力では、補償値によってレジスタ４０６によって設定された読出し駆動電位を補償した値、すなわちレーザーダイオードの動作温度の変化による誤差成分を補償した読出し駆動電位が出力される。
【００８３】
３）消去モードにおいて
Ｉ／Ｆ＆制御部４０２の初期化動作によって消去駆動電位がレジスタ４０６に貯蔵される。レジスタ４０６に貯蔵された消去駆動電位によってレーザーダイオードの消去パワーレベルが決定される。
【００８４】
第１サンプル＆ホルダー４１８は、モニター信号ＭＯＮ−ＰＤから消去パワーレベルをサンプリングする。消去パワー区間は消去制御信号がアクティブである区間に該当する。
【００８５】
第１サンプル＆ホルダー４１８によってサンプル＆ホールドされた消去パワーレベルは、差動増幅器４２２の反転入力端子に提供される。
【００８６】
一方、第２サンプル＆ホルダー４２０は、レーザーダイオードに印加される消去駆動電位をサンプリングする。第２サンプル＆ホルダー４２０によってサンプル＆ホールドされた消去駆動電位は差動増幅器４２２の非反転入力端子に提供される。
【００８７】
差動増幅器４２２は、モニター信号ＭＯＮ−ＰＤからサンプリングされた消去パワーレベルとレーザーダイオードに印加される消去駆動電位間の差分値を検出する。この差分値はレーザーダイオードの動作温度が変動することによって引き起こされたものである。
【００８８】
差動増幅器４２２の利得によって差分値は補償値に変換されて、この補償値は加算器４１４に提供される。それによって加算器４１４の出力では、補償値によってレジスタ４０６によって設定された消去駆動電位を補償した値、すなわちレーザーダイオードの動作温度の変化による誤差成分を補償した消去駆動電位が出力される。
【００８９】
４）記録モードにおいて
Ｉ／Ｆ＆制御部４０２の初期化動作によってピーク駆動電位がレジスタ４０６に貯蔵される。レジスタ４０６に貯蔵されたピーク駆動電位によってレーザーダイオードが最初の読出しパワーレベルが決定される。
【００９０】
第１サンプル＆ホルダー４１８は、モニター信号ＭＯＮ−ＰＤからピークパワーレベルをサンプリングする。ピークパワー区間はピーク制御信号がアクティブである区間に該当する。
【００９１】
第１サンプル＆ホルダー４１８によってサンプル＆ホールドされたピークパワーレベルは、差動増幅器４２２の反転入力端子に提供される。
【００９２】
一方、第２サンプル＆ホルダー４２０は、レーザーダイオードに印加されるピーク駆動電位をサンプリングする。第２サンプル＆ホルダー４２０によってサンプル＆ホールドされたピーク駆動電位は差動増幅器４２２の非反転入力端子に提供される。
【００９３】
差動増幅器４２２は、モニター信号ＭＯＮ−ＰＤからサンプリングされたピークパワーレベルとレーザーダイオードに印加されるピーク駆動電位間の差分値を検出する。この差分値はレーザーダイオードの動作温度が変動することによって引き起こされたものである。
【００９４】
差動増幅器４２２の利得によって差分値は補償値に変換されて、この補償値は加算器４１４に提供される。それによって加算器４１４の出力では補償値によってレジスタ４０６によって設定されたピーク駆動電位を補償した値、すなわちレーザーダイオードの動作温度の変化による誤差成分を補償したピーク駆動電位が出力される。
【００９５】
レーザーダイオード選択スイッチ４２６は、レーザーダイオード選択信号ＳＥＬ−ＬＤによって用いようとするレーザーダイオードを選択するが、例えばＣＤ系列の７８０ｎｍのレーザーダイオードを選択したりＤＶＤ系列の６５０ｎｍを選択することができる。レーザーダイオードの選択動作は光記録／再生機器の初期化時に行われる。
【００９６】
ＨＦＭ  ４２４も用いようとするレーザーダイオードの種類によって相異なる周波数及び大きさを有する高周波変調信号を発する。
【００９７】
５）ファームウェアＡＰＣ動作において
ファームウェアＡＰＣ動作は、差動増幅器４２２によるハードウェアー的なＡＰＣ動作に対応するものであって、差動増幅器４２２を用いないでソフトウェア的にＡＰＣ動作を行うことをいう。制御対象になるパワーレベルは第１サンプル＆ホルダー４１８によってサンプリングされて、このサンプリングされた値はレジスタ４０６に貯蔵された該駆動電位と比較されて、比較結果によってレジスタ４０６に貯蔵された該駆動電位を変更させる。
【００９８】
比較動作は、Ｉ／Ｆ＆制御部４０２内で直接的に行われる場合もあって、外部のマイクロプロセッサーやＤＳＰ（Ｄｉｇｉｔａｌ  Ｓｉｇｎａｌ  Ｐｒｏｃｅｓｓｏｒ）を利用して行われる場合もある。
【００９９】
ファームウェアＡＰＣ動作のためにＡＤＣ  ４２８が提供される。ＡＤＣ  ４２８は第１サンプル＆ホルダー４１８によってサンプル＆ホールドされた値をソフトウェアによって処理できるようにデジタル値に変換させる。
【０１００】
図６は、図４に示された装置の動作を示す流れ図である。
まず、初期化動作を行う（Ｓ６０２）。初期化動作では装着されたディスクの種類を判別して、その結果によって用いるレーザーダイオード及びそれに適した駆動電位が設定される。
【０１０１】
ハードウェアＡＰＣであるか否かを判別する（Ｓ６０４）。ハードウェアＡＰＣは差動増幅器４２２を利用したＡＰＣ動作をいう。
【０１０２】
ハードウェアＡＰＣならば、ダイレクトＡＰＣモードであるか平均ＡＰＣモードであるかを判断する（Ｓ６０６）。ダイレクトＡＰＣモードとは第１サンプル＆ホルダー４１８によってサンプル＆ホールドされた値をそのまま用いることをいい、平均ＡＰＣとは第１サンプル＆ホルダー４１８によってサンプル＆ホールドされた値を平均して用いることをいう。
【０１０３】
ダイレクトＡＰＣモードならば第１サンプル＆ホルダー４１８及び第２サンプル＆ホルダー４２０を制御するサンプル＆ホールド制御信号を生成する（Ｓ６０８）。サンプル＆ホールドを行う（Ｓ６１０）。
【０１０４】
一方、ダイレクトＡＰＣモードでなくて平均ＡＰＣモードならば、サンプル＆ホールドされた値を平均する（Ｓ６１２、Ｓ６１４）。ハードウェアー的なＡＰＣ動作であるので、平均値はサンプル＆ホールドされた値を低域変換する低域通過フィルタによって得られる。
【０１０５】
ダイオード出力レベルを補償する（Ｓ６１６）。ここには、差動増幅器４２２、加算器４１４が関与する。
【０１０６】
一方、ハードウェアＡＰＣでなければ、ファームウェアＡＰＣであるか否かを判断する（Ｓ６１８）。
【０１０７】
ファームウェアＡＰＣモードならば、内部ファームウェアＡＰＣであるか或いは外部ファームウェアＡＰＣであるかを判断する（Ｓ６２０）。ここで、内部ファームウェアＡＰＣとはＩ／Ｆ＆制御部４０２によるソフトウェア的なＡＰＣ動作を意味し、外部ファームウェアＡＰＣとは外部のマイクロプロセッサーやＤＳＰを利用したソフトウェア的なＡＰＣ動作を意味する。
【０１０８】
内部ファームウェアＡＰＣならば、Ｉ／Ｆ＆制御部４０２でＡＰＣ動作を行う。すなわち、第１サンプル＆ホルダー４１８によって制御対象になるパワーレベルをサンプリングして、ＡＣＤ  ４２８によってその値を読み込んだ後でレーザー出力の変動値及び補償値を演算して、これを反映してレジスタ４０８に貯蔵された駆動電位を変更する（Ｓ６２２ないしＳ６３０）。
【０１０９】
この変更された駆動電位によってレーザーダイオードを駆動する（Ｓ６４０）。
【０１１０】
詳細には、Ｉ／Ｆ＆制御部４０２で第１サンプル＆ホルダー４１８によってサンプリングされたパワーレベルとレジスタ４０８に貯蔵された駆動電位とを比較して変動値を演算して（Ｓ６２２）、変動値を考慮して新しい駆動電位を得る（Ｓ６２４）。この補正された駆動電位でレジスタ４０８に貯蔵された駆動電位を更新する（Ｓ６２６）。レジスタ４０８に貯蔵された駆動電位はマルチプレクサ４０８によるマルチプレキシング動作（Ｓ６２８）及びＤＡＣ  ４１０によるＤＡＣ動作（Ｓ６３０）を通してレーザーダイオードを駆動する。マルチプレキシング動作のために必要な選択信号はパルス発生部４０４で発する（Ｓ６４２）。
【０１１１】
外部ファームウェアＡＰＣならば、インタフェース動作（Ｓ６３２）を通して外部マイクロプロセッサーにサンプリングされたパワーレベルを伝送して（Ｓ６３２）、外部マイクロプロセッサーでサンプリングされたパワーレベルと現在適用される駆動電位、すなわちレジスタ４０６に貯蔵された駆動電位を比較して変動値を演算して（Ｓ６３４）、その結果をインタフェース動作（Ｓ６３６）を通して伝送される。外部マイクロプロセッサーの代わりに専用のＤＳＰが使用されうる。
【０１１２】
内部ファームウェアＡＰＣ動作と同様にレジスタ４０８に貯蔵された駆動電位を変更する（Ｓ６２２ないしＳ６３０）。
この変更された駆動電位によってレーザーダイオードを駆動する（Ｓ６４０）。
【０１１３】
一方、ファームウェアＡＰＣモードでなければ、レーザーダイオードテストモードであるか否かを判別して（Ｓ６４４）、判別結果によってレーザーダイオードテストモードを行う（Ｓ６４６）。
【０１１４】
図４に示された装置では、ハードウェアＡＰＣとファームウェアＡＰＣとを補完的に用いることができる。ハードウェアＡＰＣのみを用いる場合には、補償値があまりに大きくて差動増幅器でもカバーできない場合がありうる。すなわち、レーザー出力の変動値が差動増幅器によってカバーされうる範囲を外れるようになってレーザーダイオードを十分に制御できない場合がありうる。一方、高倍速記録の場合に補償値をできるだけ少なくして速応性（目標値に追従する能力）を高めることが望ましい。このためにはレジスタ４０６に貯蔵された駆動電位を周期的に更新する必要がある。したがって、周期的にファームウェアＡＰＣを行ってハードウェアＡＰＣにおける負担を軽減させたり制御の速応性を高める。
【０１１５】
図７Ａ及び図７Ｂは本発明によるレーザーダイオード駆動装置を有するピックアップ及びＦＰＣＢの外観を示す図面であって、図７Ａはピックアップ装置の正面を示すものであって、図７ＢはＦＰＣＢを示すものである。図７Ａに示されたように、ピックアップ７００は、対物レンズ７０２、レーザーダイオード（図示せず）、レーザーダイオード駆動回路、チルトセンサ（図示せず）などの多様な部品で構成される。レーザーダイオード駆動回路は第１ＰＣＢ ７０４上に設けられる。
【０１１６】
ピックアップ７００は、光ディスクにわたって動き、レーザーダイオードはディスク上にデータを記録／再生するためのレーザー信号を発する。
【０１１７】
ピックアップを構成する各種部品及び第１ＰＣＢ ７０４を連結するためにＦＰＣＢ  ７０６が提供される。ＦＰＣＢ  ７０６のピックアップ側一端はピックアップ金型物上に置かれてねじ等によってピックアップ金型物上に固定される。
積層フレキシブルＰＣＢが用いられて大体単層から４層までが多く用いられる。
【０１１８】
図８Ａ及び図８Ｂは、本発明によるレーザーダイオード駆動装置を有する他のピックアップ及びＦＰＣＢの外観を示す図面であって図８Ａはピックアップ装置の正面を示すものであって、図８ＢはＦＰＣＢを示すものである。図８Ａに示されたようにピックアップ８００は対物レンズ８０２、レーザーダイオード（図示せず）、レーザーダイオード駆動回路、チルトセンサ（図示せず）などの多様な部品で構成される。レーザーダイオード駆動回路は第１ＰＣＢ ８０４上に設けられる。
【０１１９】
ＦＰＣＢ  ８０６がピックアップ金型物上に配置及び固定されるため、その形態はモデル毎に異なっているのがほとんどである。
ＦＰＣＢ  ８０６の他端は、メーンボード（図示せず、本発明の第２印刷回路基板に対応）に連結される。メーンボードとの接続のためにＦＰＣＢ  ８０６とメーンボード両側双方にコネクターが提供されたりメーンボード側にコネクターが提供される。
【０１２０】
従来においてＡＰＣ装置は、Ｍａｉｎ  ＰＣＢに位置してレーザーダイオードドライバはピックアップに位置して、ＦＰＣＢを通して連結されている。
すなわち、従来の光記録再生装置においてＡＰＣ装置は、ピックアップ装置と別個に分離されたＭａｉｎ  ＰＣＢに設けられてＦＰＣＢを通してレーザーダイオードに付属されたモニターＰＤからモニター信号ＭＯＮ−ＰＤを提供される。また、レーザーダイオードドライバもＦＰＣＢを通して制御信号の供給を受けなければならない。
【０１２１】
モニター信号ＭＯＮ−ＰＤは、数μＡ程度と小さいためにノイズに非常に弱い。また、制御信号の周波数は非常に高いために周辺装置にＥＭＩを発生させる。制御信号の周波数は記録／再生速度の増加と共に増加する。
その結果、従来の光記録再生装置においてはＦＰＣＢによるモニター信号或いは制御信号のインタフェース自体が不可能になることがある。
【０１２２】
本発明による光記録再生装置においてはレーザーダイオードドライバがＡＰＣ機能を併行しており、このようなレーザーダイオードドライバがピックアップ上に設けられるために従来の光記録再生装置のような問題点が源泉的に解消されうる。
【０１２３】
〔発明の効果〕
上述したように、本発明によるレーザーダイオードドライバは、本発明自体がＡＰＣ動作を行うので、ＥＭＩによる誤動作を防止する効果を有する。
また、一つのレーザーダイオードドライバで複数のレーザードライバを駆動できるので、メディアの下向互換性及び共有を可能にする効果がある。
一方、本発明によるレーザーダイオードドライバはハードウェアー的なＡＰＣとソフトウェア的なＡＰＣとを各々或いは相互補完的に行うことによって高倍速の記録／再生に適切に対応することができる長所を有する。
本発明による光記録再生装置は、ＡＰＣ装置をピックアップ上で具現することによって、モニターＰＤ信号、制御信号のインタフェースを容易にして製品の構成を簡単にして製造コストを節減させる効果を有する。
【図面の簡単な説明】
【０１２４】
【図１】従来のレーザーダイオードドライバの構成を示すブロック図である。
【図２Ａ】ＣＤ−ＲＷ記録パルスを示す波形図である。
【図２Ｂ】ＤＶＤ−ＲＡＭ記録パルスを示す波形図である。
【図３】レーザーダイオードの特性を示すグラフである。
【図４】本発明によるレーザーダイオードドライバの構成を示すブロック図である。
【図５】光記録装置の記録パルスを示す波形図である。
【図６】図４に示された装置の動作を示す流れ図である。
【図７Ａ】本発明によるレーザーダイオード駆動装置を有するピックアップの外観を示す図面である。
【図７Ｂ】本発明によるＦＰＣＢの外観を示す図面である。
【図８Ａ】本発明によるレーザーダイオード駆動装置を有する他のピックアップの外観を示す図面である。
【図８Ｂ】本発明による他のＦＰＣＢの外観を示す図面である。
【符号の説明】
【０１２５】
４０２  Ｉ／Ｆ＆制御部
４０４  パルス発生器
４０６  レジスタ
４０８  マルチプレクサ
４１０  アナログ−ディジタル変換器
４１４  加算器
４１８，４２０  サンプル＆ホルダー
４２２  差動増幅器
７００，８００  ピックアップ
７０４，８０４  第１印刷回路基板
【図１】
2006107733.tif 000005
【図２Ａ】
2006107733.tif 000006
【図２Ｂ】
2006107733.tif 000007
【図３】
2006107733.tif 000008
【図４】
2006107733.tif 000009
【図５】
2006107733.tif 000010
【図６】
2006107733.tif 000011
【図７Ａ】
2006107733.tif 000012
【図７Ｂ】
2006107733.tif 000013
【図８Ａ】
2006107733.tif 000014
【図８Ｂ】
2006107733.tif 000015